(57)【要約】【課題】水道用メータの修理交換時には、止水用パッキンや逆流防止弁もメータと共に取り外す必要を生ずるが、その際、１次側は止水栓によって止水するが、２次側には特別な手当てを施すことなくメータと共に逆流防止弁を取り外してしまうため、２次側からの戻り水や異物の流入を防げない問題があった。【解決手段】２次側にメータを保持圧着する進退締着筒４を設け、その内部に締着筒先端の通水口を開閉する止水弁体の開閉を行う弁体ガイド５１を設け、メータの交換時に１次側を止水栓によって止水すると共に２次側を止水弁体によって閉鎖して２次側配管開口部からの逆流や異物の流入を防止するようにした。【選択図】図６
2011021973.tif 000002
【特許請求の範囲】
【請求項１】
対向する一対のホルダー間にメータ端面を挟着支持する水道用メータホルダーにおいて、２次側ホルダーに回動操作によって進退してメータ端面を圧着保持する締着筒を設け、該締着筒の内部に締着筒先端の通水口を開閉する止水弁体を先端に装着し、流入口と流入する水流を２次側に通過させる通水路を設けた弁体ガイドを設定し、前記締着筒の進退により前記止水弁体により締着筒先端の通水口を開閉操作するようにしたことを特徴とする水道用メータホルダー
【発明の詳細な説明】
【技術分野】
【０００１】
本発明は、水道メータの両端を着脱可能に支持して配管部に連結する水道用メータホルダーに関し、特に寒冷地などメータを地中に埋設して地上からの直接作業が困難な水道用メータホルダーについて、メータ交換時に２次側配管開口部直近を塞ぐことで異物の流入を防ぐと共に、２次側からの戻り水を防止し、更に、製品機能付加による過剰な圧力損失や面間距離の増加を抑制できるようにした水道用メータホルダーに関するものである。
【背景技術】
【０００２】
従来、寒冷地などメータを地中に埋設して地上からの直接作業が困難な水道用メータを交換するときには、止水用パッキンや逆流防止弁も交換のためにメータと共に地上に引き上げることが行われるが、その際、先ず、１次側を止水栓によって止水するが、２次側には特別な手当てを施すことなくメータと共に逆流防止弁を取り外してしまうことが行われている。
【０００３】
メータホルダーへの水道用メータの支持は、対向する一方のホルダーを締付けホルダー、他方を受けホルダーとして締付けホルダーのスライダーを受けホルダーに向けて推進させ、メータ端面を受けホルダーの受け面に押し付け圧着させて対峙ホルダー間にメータを挟着支持することが行われてきた。
【０００４】
また、締付けホルダーと受けホルダーは、水道用メータを支持する基盤としてホルダーベースと一体的に固定されるホルダーポートによって固定され、メータ嵌入スペースとしての面間距離は締付けホルダーのスライダー進退距離に限定されてきている。
【先行技術文献】
【特許文献】
【０００５】
上記のような、メータホルダーの固定的な構造に対して例えば特許文献１に記載のように、メータの両端にホルダーベースとは別体に構成され、逆止弁ユニット等、水道配管との接続調整機構を内蔵してホルダーに着接する一対のアタッチメントを装着するように構成してホルダーベース全体の構成に流動的な対応可能性を与えることも提案されてきている。
【０００６】
更に、ホルダーベースの２次側には、配管部からメータへの逆流を防止するためカートリッジ式の逆止弁ユニットが設定されるが、ユニットの設定は、例えば特許文献２に記載のように、収容スペース内にユニットを収容し、座金を嵌めてメータピースで押さえ、ガスケットを嵌着してメータの着合端を着合する等、固定的な手段が講じられてきている。
【０００７】
なお、メータホルダーベース介装用ではないが、逆止弁座と弁体をユニットとしてカートリッジ式にしたものとして、例えば特許文献３に記載のような逆止弁が存在する。
【特許文献１】特開２００３−８３７７８号公報
【特許文献２】特開２００３−２７９３９７号公報
【特許文献３】特開平１１−９４１０４号公報
【発明の概要】
【発明が解決しようとする課題】
【０００８】
水道用メータを交換するときには、止水用パッキンや逆流防止弁も交換のためにメータと共に取り外すことが行われるが、その際、先ず、１次側を止水栓によって止水するが、２次側には特別な手当てを施すことなくメータと共に逆流防止弁が取り外されるため、２次側配管開口部からの戻り水と呼ばれる逆流や２次側器具内部に異物が流入される問題があった。
【０００９】
特に、埋設型の水道用メータの場合、地上から治具を用いて止水栓の開閉や連結部の着脱を行わなければならないため、止水用パッキンや逆流防止弁もメータと共に地上に引き上げられることが多いが、埋設型の場合には２次側配管開口部からの逆流や異物の流入は、その後のメンテナンスに更なる問題を残す。
【００１０】
２次側における逆流や異物の流入防止のためには、メータ端部の２次側継手部に逆流防止弁を設定するほか、２次側配管の継手部にも逆止弁を設定してメータ離脱時にも逆流や異物の流入がないようにしなければならないが、そのためには継手部を含めたメータホルダーの面間距離を長く取らなければならないうえ、弁体の数が増えることによる送水圧力の損失も大きくなる問題がある。
【課題を解決するための手段】
【００１１】
本発明は上記した課題に対応しようとするものであり、２次側にメータを保持圧着する進退締着筒を設け、その内部に締着筒先端の通水口を開閉する止水弁体とその開閉作動を行う弁体ガイドを設定し、水道用メータの交換時に１次側を止水栓によって止水すると共に２次側を止水弁体によって閉鎖して２次側配管開口部からの逆流や異物の流入を防止するようにした。
【発明の効果】
【００１２】
上記のようにメータ取り外し時に２次側を止水弁体で閉鎖することによって、２次側配管の継手部に逆止弁を設定することなくメータ交換時に逆流や異物の流入を防止できるようにして、継手部を含めたメータホルダーの面間距離を短縮し、送水圧の損失を回避できる効果がある。
【図面の簡単な説明】
【００１３】
【図１】本発明の実施例を示すもので、水道用メータを着装した状態における要部を切欠断面とした水道用メータホルダーの全体正面図
【図２】同じく、水道用メータを取り外した状態における要部を切欠断面とした水道用メータホルダーの全体正面図
【図３】同じく、水道用メータを取り外した状態における水道用メータホルダーの全体平面図
【図４】同じく、水道用メータを着装した状態における水道用メータホルダーの全体側面図
【図５】同じく、締着筒先端の通水口開口時における構造と通水状况を示す水道用メータホルダーの２次側ホルダーポートの縦断面図
【図６】同じく、止水弁体により締着筒先端の通水口を閉鎖した状態における通水口閉鎖構造と止水状况を示す水道用メータホルダーの２次側ホルダーポートの縦断面図
【発明を実施するための形態】
【００１４】
以下、図面を参照して本発明の実施の形態について詳細に説明すると、１はホルダーベースの本体で、両側に対峙する１次側ホルダー１ａと２次側ホルダー１ｂの一対から成り、それぞれ両側部には支持杆締着翼２１、２１が設けられ、支持杆２、２の締着により連結されている。
【００１５】
１次側ホルダー１ａは、下端部に本体を支持して自立する脚部１１、内側端面にはメータＡの端部に着合する嵌着部２ａが設けられると共に、その背後に止水栓ユニット３が嵌装され、外側端部には配管連結構造部１２が設けられ、給水配管と連結するようになっている。
【００１６】
２次側ホルダー１ｂは、ホルダー１ａと同様に下端部に本体を支持して自立する脚部１１、内側端面にはメータＡの端部に着合する嵌着部２ｂが設けられると共に、嵌着部２ｂにはメータＡの端部着合端に対して前進後退の作動をする締着筒４が嵌装され、締着筒４の前進により１次側ホルダー１ａが受けホルダー、２次側ホルダー１ｂが締付けホルダー、として水道メータＡの両端に圧着してメータＡをベース本体１の中軸レベルに支持するようにすると共に、外側端部には配管連結構造部１３が設けられ、給水支管と連結するようになっている。
【００１７】
更に、締着筒４の内部には、操作ハンドル４３と掛合するカム機構４２によって締着筒４が前進状態にあるときには、締着筒４の通水口４４と止水弁体５との間隔を保持して通水流路を開き、締着筒４が後退状態にあるときには止水弁体５を締着筒４の通水口４４に圧着させて通水流路を閉鎖する。
【００１８】
弁体ガイド５１は内部が通水路５２を構成する筒体となっており、その先端部に止水弁体５を装着し、装着部の背後位置に通水路５２への流入口５３が開口すると共に、尾端部にスプリング４１を介装止着する止着突起５４が形成されている。なお、止水弁体５の圧着部の背後には撓み溝５５が形成されており、止水弁体５が通水口４４に圧着される際に周端が撓んで完全に密着するように構成されている。
【００１９】
ホルダー１ａ、１ｂのメータＡ着合嵌着部２ａ、２ｂには、メータ着合端１４の下面を受けて支持する支持舌片４５が設けられ、着合するメータ端部１４を上方から落とし込むことにより着合芯に接合できるようになっている。
【００２０】
６ａ、６ｂはメータＡの端部に着合する継手アタッチメントで、１次側継手部６ａにはパッキン機構、２次側継手部６ｂには逆止弁ユニットが内蔵され、ホルダーベース１の嵌着部２ａ、２ｂにはそれぞれの継手部を介して着合されるようになっている。
【００２１】
更に、ホルダー１ａ、１ｂ間に嵌装する水道メータＡの底部や端部を受けて嵌装作業時等におけるメータの落下を防止する補助支持構造７が、ホルダーベース両側の連結支持杆２、２に差し渡して設けられる。
【００２２】
以上のように構成したホルダーベース１は、先ず、操作ハンドル４３を回動してカム機構４２を締着筒４の係合突起４ｂと係合させて後退状態とし、ホルダー１ａと１ｂの間にメータＡを嵌装して、カム機構４２の回動操作によりカム機構４２を締着筒４の係合突起４ａと係合して締着筒４を前進させる共に、スプリング４１の付勢力によりメータＡの端部をホルダー１ａの嵌着部２ａ側に押し付ければ、水道メータＡがホルダー１ａと１ｂの間に締着固定される。
【００２３】
同時に、締着筒４の前進分だけ通水口４４と止水弁体５との間隔が離間して通水流路が開口し、水道メータＡからの通水は弁体ガイド５１の流入口５３から通水路５２に流入して２次側に流過する。従って、１次側の止水栓３を開栓すれば水流はホルダー１ａの流路からメータＡを通過してホルダー１ｂの流路に流通して流量等の計測が行われるものである。
【００２４】
また、水道メータＡの取り外しには操作ハンドル４３を上記と逆に回動操作すると、カム機構４２が締着筒４の係合突起４ｂと係合して締着筒４を強制的に後退させ、水道メータＡの締着固定が解除される。同時に、止水弁体５が締着筒４の通水口４４に圧接し、２次側配管開口部が閉鎖されて２次側配管開口部からの逆流や異物の流入が防止される。
【００２５】
本発明は以上のように構成したので、深度の深い埋設型の水道メータでも、治具を用いて操作ハンドル４３を回動することにより、２次側の通水開口部を閉止して逆流等防止措置を講じたうえで、メータや逆流防止弁の取り外しを行うことができ、更には、継手部を含めたメータホルダーの面間距離を短縮し、送水圧の損失を回避できたものである。
【産業上の利用可能性】
【００２６】
本発明に係る水道用メータホルダーは、メータホルダーとして２次側の通水開口部の開閉を簡易に行うことができるので、地上における通常の水道用メータのほか、上記のように深度の深い埋設型の水道メータについてのメンテナンスや部材の修理交換など様々な形態で水道施設産業上に高度の利用価値を有するものである。
【符号の説明】
【００２７】
１      ホルダーベース本体
１ａ    １次側ホルダー
１ｂ    ２次側ホルダー
１１    本体支持脚部
１２    １次側配管連結構造部
１３    ２次側配管連結構造部
１４    メータ着合端
２      支持杆
２１    支持杆締着翼
２ａ    １次側メータ端部嵌着部
２ｂ    ２次側メータ端部嵌着部
３      止水栓ユニット
４      締着筒
４ａ    締着筒の前進カム係合突起
４ｂ    締着筒の後退カム係合突起
４１    付勢スプリング
４２    締着筒進退カム機構
４３    操作ハンドル
４４    締着筒の通水口
４５    メータ着合端の支持舌片
５      止水弁体
５１    弁体ガイド
５２    弁体ガイドの通水路
５３    弁体ガイド通水路への流入口
５４    弁体ガイドのスプリング止着突起
５５    止水弁体の撓み溝
６ａ    １次側メータ端部継手部
６ｂ    ２次側メータ端部継手部
７      ホルダーベースのメータ補助支持構造
Ａ      水道用メータ
【図１】
2011021973.tif 000003
【図２】
2011021973.tif 000004
【図３】
2011021973.tif 000005
【図４】
2011021973.tif 000006
【図５】
2011021973.tif 000007
【図６】
2011021973.tif 000008